(57)【特許請求の範囲】
【請求項１】
ＶＨＦ帯のテレビジョン信号が入力されると共に、ＶＨＦ帯のハイバンド又はローバンドとに同調する入力同調回路と、前記入力同調回路の次段に設けられた高周波増幅器と、前記入力同調回路を前記高周波増幅器に結合する結合用バラクタダイオードとを備え、前記入力同調回路はアノードが接地された同調用バラクタダイオードと、前記バラクタダイオードのカソードとグランドとの間に設けられ、カソード側から順に高周波的に直列に接続された第一のハイバンドコイル、第一のローバンドコイル、第二のローバンドコイル、第二のハイバンドコイルと、前記第一のローバンドコイル及び第二のローバンドコイルに跨って高周波的に並列に接続され、ハイバンド受信時にオンとなりローバンド受信時にオフとなるスイッチダイオードとを有し、前記第一のローバンドコイルと前記第二のローバンドコイルとの接続点に前記テレビジョン信号を入力し、前記結合用バラクタダイオードのカソードを前記同調用バラクタダイオードのカソードに接続し、前記結合用バラクタダイオードのアノードを抵抗又はインダクタを介して接地すると共に前記高周波増幅器に結合し、前記接続点と前記結合用バラクタダイオードのアノードとの間に第一のコンデンサを接続し、前記第二のローバンドコイルと前記第二のハイバンドコイルとの接続点と前記結合用バラクタダイオードのアノードとの間に第二のコンデンサを高周波的に接続したことを特徴とするテレビジョンチューナ。
【請求項２】
前記スイッチダイオードのカソードを前記第二のローバンドコイルと前記第二のハイバンドコイルとの接続点に高周波的に接続し、前記第二のコンデンサを前記スイッチダイオードのカソードと前記結合用バラクタダイオードのアノードとの間に接続したことを特徴とする請求項１に記載のテレビジョンチューナ。
【請求項３】
前記スイッチダイオードのアノードには固定のバイアス電圧を印加し、前記結合用バラクタダイオードのアノードを前記スイッチダイオードのアノードに抵抗又はインダクタを介して接続したことを特徴とする請求項１又は２に記載のテレビジョンチューナ。
【発明の詳細な説明】
【０００１】
【発明の属する技術分野】
この発明は、テレビジョンチューナに関し、特にＶＨＦ帯のハイバンド又はローバンドのテレビジョン信号に同調する入力同調回路と入力同調回路で選択されたテレビジョン信号を増幅する高周波増幅器とを結合用バラクタダイオードによって結合したテレビジョンチューナに関するする。
【０００２】
【従来の技術】
図５は従来のテレビジョンチューナの回路図を示す。ＶＨＦ帯乃至ＵＨＦ帯のテレビジョン信号は、ＦＭ放送信号等の不要な信号を除去するトラップ回路２１を介してＶＨＦ入力同調回路２２及びＵＨＦ入力同調回路２３に入力される。
【０００３】
ＶＨＦ入力同調回路２２は、アノードが接地された同調用バラクタダイオード２２ａと、そのカソードに順次高周波的に直列に接続され、同調用バラクタダイオード２２ａに対して高周波的に並列に接続される四つのコイル、すなわち、ハイバンドコイル２２ｂ、ローバンドコイル２２ｃ、ローバンドコイル２２ｄ、ハイバンドコイル２２ｅと、二つのローバンドコイル２２ｃ、２２ｄに跨って高周波的に並列に接続されたスイッチダイオード２２ｆとを有する。ハイバンドコイル２２ｂ、２２ｅのインダクタンスはローバンドコイル２２ｃ、２２ｄのそれよりも小さい。低電位側のハイバンドコイル２２ｅは直流カットコンデンサ２２ｇによって高周波的に接地される。そして、二つのローバンドコイル２２ｃ、２２ｄの接続点にテレビジョン信号が入力され、同調用バラクタダイオード２２ａのカソードとハイバンドコイル２２ｂとの接続点がＶＨＦ入力同調回路２２の出力端となる。
【０００４】
また、ハイバンドコイル２２ｅと直流カットコンデンサ２２ｇとの接続点は抵抗２２ｈによって接地され、且つ、抵抗２２ｉによって電源端子Ｂに接続される。電源端子Ｂには５ボルトの電源電圧が印加される。そして、抵抗２２ｈと２２ｉとによって分圧されたバイアス電圧がハイバンドコイル２２ｅ、ローバンドコイル２２ｄ、２２ｃを介してスイッチダイオード２２ｆのアノードに印加される。さらに、スイッチダイオード２２ｆのカソードはバンド切替端子Ｓｗに接続される。バンド切替端子にはハイレベル（５ボルト）又はローレベル（０ボルト）の切替電圧が印加される。また、同調用バラクタダイオード２２ａのカソードはハイバンドコイル２２ｂを介して同調電圧端子Ｔｕに接続される。同調電圧端子Ｔｕには同調電圧が印加される。
【０００５】
ＶＨＦ入力同調回路２２の次段にはＦＥＴ（電界効果トランジスタ）で構成されるＶＨＦ高周波増幅器２４が設けられ、ＶＨＦ入力同調回路２２とＶＨＦ高周波増幅器２４とは結合用バラクタダイオード２５によって結合される。結合用バラクタダイオード２５は同調用バラクタダイオード２２ａの特性と同じ特性を有し、そのカソードは同調用バラクタダイオード２２ａのカソードに接続され、アノードは抵抗２６によって接地されると共に、直流カットコンデンサ２７によってＶＨＦ高周波増幅器２４の入力端に結合される。
【０００６】
また、二つのローバンドコイル２２ｃ、２２ｄの接続点と結合用バラクタダイオード２５のアノードとの間にはコンデンサ２８が接続され、さらに、ハイバンドコイル２２ｂとローバンドコイル２２ｃとの間の接続点と結合用バラクタダイオード２５のアノードとの間にコンデンサ２９が接続される。
ＶＨＦ高周波増幅器２４の次段にはＶＨＦ段間同調回路３０が設けられ、さらに、その後段にはＶＨＦ混合器（図示せず）等が設けられる。ＶＨＦ段間同調回路３０以降の構成についての説明は省略する。
【０００７】
ＵＨＦ入力同調回路２３は、一端が接地されたコイル２３ａと、カソード同士が互いに接続された同特性の二つの同調用バラクタダイオード２３ｂ、２３ｃとを有し、一方の同調用バラクタダイオード２３ｂのアノードがコイル２３ａの他端に接続され、他方の同調用バラクタダイオード２３ｃのアノードが直流カットコンデンサ２３ｄと抵抗２３ｅによって接地される。そして、コイル２３ａと同調用バラクタダイオード２３ｂのアノードとの接続点が直流カットコンデンサ３１を介してトラップ回路２１に接続される。また、二つの同調用バラクタダイオード２３ｂ、２３ｃのカソードが同調端子Ｔｕに接続されると共に、直流カットコンデンサ３２によってＵＨＦ高周波増幅器３３に接続される。ＵＨＦ高周波増幅器３３にもＦＥＴが使用される。
ＵＨＦ高周波増幅器３３の次段にはＵＨＦ段間同調回路３４が設けられ、さらに、その後段にはＵＨＦ混合器（図示せず）等が設けられる。ＵＨＦ段間同調回路３４以降の構成についての説明は省略する。
【０００８】
以上の構成において、ＶＨＦ帯のテレビジョン信号を受信する場合には、ＶＨＦ高周波増幅器２４が動作状態、ＵＨＦ高周波増幅器３３は非動作状態となり、ＵＨＦ帯のテレビジョン信号を受信する場合には、ＵＨＦ高周波増幅器３３が動作状態、ＶＨＦ高周波増幅器２４は非動作状態となるように切り替えられる。
【０００９】
先ず、ＶＨＦ帯のハイバンドのテレビジョン信号を受信する場合は、バンド切替端子Ｓｗをローレベルの電圧にする。すると、スイッチダイオード２２ｆがオンとなって、ＶＨＦ入力同調回路２２は図６に示す等価回路となる。ここで、図６におけるコイル２２ｊは図５における二つのローバンドコイル２２ｃ、２２ｄが並列接続されたものを示す。
【００１０】
そして、同調周波数は、主に二つのハイバンドコイル２２ｂ、２２ｅと同調用バラクタダイオード２２ａによって決まり、同調用バラクタダイオード２２ａのカソードにほぼ２．５ボルトから２５ボルトまでの同調電圧が印加され、それに従ってハイバンド内で同調周波数が変化する。同調電圧が２．５ボルトの時の同調用バラクタダイオード２２ａの容量値はおよそ１４．５ｐＦ（ピコファラッド）となり、ハイバンドの最低周波数に同調する。また、同調電圧が２５ボルトになると容量値は２乃至３ｐＦとなる。
【００１１】
また、図６から明らかなように、コンデンサ２８と、コイル２２ｊと、ハイバンドコイル２２ｂと、結合用バラクタダイオード２５とによって直並列共振回路が構成されるが、この直並列共振回路はハイバンドを受信する場合のイメージ周波数を減衰するトラップ回路として機能する。
同様に、コンデンサ２９と、ハイバンドコイル２２ｂと、結合用バラクタダイオード２５とによって直並列共振回路が構成されるが、この直並列共振回路はＵＨＦ帯の高域側を減衰するトラップ回路として機能する。
いずれも受信妨害の対策としている。
【００１２】
一方、ＶＨＦ帯のローバンドのテレビジョン信号を受信する場合は、バンド切替端子Ｓｗをハイレベルの電圧にする。すると、スイッチダイオード２２ｆがオフとなって、ＶＨＦ入力同調回路２２は図７に示す等価回路となり、同調周波数は、主に二つのハイバンドコイル２２ｂ、２２ｅと二つのローバンドコイル２２ｃ、２２ｄと同調用バラクタダイオードによって決まる。
この場合も、ＶＨＦ入力同調回路２２は同調用バラクタダイオード２２ａのカソードに印加されるほぼ２．５ボルトから２５ボルトまでの同調電圧に従ってローバンド内で同調周波数が変化する。そして、同調電圧が２．５ボルトの時にはローバンドの最低周波数に同調する。
【００１３】
さらに、コンデンサ２８と、ローバンドコイル２２ｃと、ハイバンドコイル２２ｂと、結合用バラクタダイオード２５とからなる直並列共振回路が並列共振周波数でローバンド受信時のイメージ周波数を減衰するトラップ回路として機能する。
【００１４】
【発明が解決しようとする課題】
上記の構成では、ＶＨＦ帯のローバンド受信時にハイバンドコイル２２ｂのインダクタンスが無視出来るのでコンデンサ２９が結合用バラクタダイオード２５に並列接続される形となる。そのため、ＶＨＦ入力同調回路２２とＶＨＦ高周波増幅器２４との結合量が大きくなり、特にローバンド内での高い周波数チャンネルでの利得が高くなり、利得偏差が大きくなる。
【００１５】
また、コンデンサ２９が結合用バラクタダイオード２５に並列接続される形となるので、コンデンサ２８と、ローバンドコイル２２ｃと、ハイバンドコイル２２ｂと、結合用バラクタダイオード２５とからなる直並列共振回路の並列共振周波数とＶＨＦ入力同調回路２２の同調周波数とのトラッキングがずれてしまうという問題がある。
【００１６】
そこで、本発明においては、ローバンド受信時における利得偏差を少なくすると共に、イメージ周波数を減衰するためのトラップ回路の共振周波数とＶＨＦ入力同調回路の同調周波数とのトラッキングを合わせることを目的とする。
【００１７】
【課題を解決するための手段】
上記の課題を解決する手段として、本発明では、ＶＨＦ帯のテレビジョン信号が入力されると共に、ＶＨＦ帯のハイバンドまたはローバンドに同調する入力同調回路と、前記入力同調回路の次段に設けられた高周波増幅器と、前記入力同調回路を前記高周波増幅器に結合する結合用バラクタダイオードとを備え、前記入力同調回路はアノードが接地された同調用バラクタダイオードと、前記バラクタダイオードのカソードとグランドとの間に設けられ、カソード側から順に高周波的に直列に接続された第一のハイバンドコイル、第一のローバンドコイル、第二のローバンドコイル、第二のハイバンドコイルと、前記第一のローバンドコイル及び第二のローバンドコイルに跨って高周波的に並列に接続され、オン又はオフに切り替えられるスイッチダイオードとを有し、前記第一のローバンドコイルと前記第二のローバンドコイルとの接続点に前記テレビジョン信号を入力し、前記結合用バラクタダイオードのカソードを前記同調用バラクタダイオードのカソードに接続し、前記結合用バラクタダイオードのアノードを抵抗又はインダクタを介して接地すると共に前記高周波増幅器に結合し、前記接続点と前記結合用バラクタダイオードのアノードとの間に第一のコンデンサを接続し、前記第二のローバンドコイルと前記第二のハイバンドコイルとの接続点と前記結合用バラクタダイオードのアノードとの間に第二のコンデンサを高周波的に接続した。
【００１８】
また、前記スイッチダイオードのカソードを前記第二のローバンドコイルと前記第二のハイバンドコイルとの接続点に高周波的に接続し、前記第二のコンデンサを前記スイッチダイオードのカソードと前記結合用バラクタダイオードのアノードとの間に接続した。
【００１９】
また、前記スイッチダイオードのアノードには固定のバイアス電圧を印加し、前記結合用バラクタダイオードのアノードを前記スイッチダイオードのアノードに抵抗又はインダクタを介して接続した。
【００２０】
【発明の実施の形態】
以下、図面に従って本発明を説明する。図１において、ＶＨＦ帯乃至ＵＨＦ帯のテレビジョン信号は、ＦＭ放送信号等の不要な信号を除去するトラップ回路１を介してＶＨＦ入力同調回路２及びＵＨＦ入力同調回路３に入力される。
【００２１】
ＶＨＦ入力同調回路２は、アノードが接地された同調用バラクタダイオード２ａと、そのカソードに順次高周波的に直列に接続され、同調用バラクタダイオード２ａに対して高周波的に並列接続される第一のハイバンドコイル２ｂ、第一のローバンドコイル２ｃ、第二のローバンドコイル２ｄ、第二のハイバンドコイル２ｅと、二つのローバンドコイル２ｃ、２ｄに跨って高周波的に並列に接続されたスイッチダイオード２ｆとを有する。スイッチダイオード２ｆのカソードは第二のローバンドコイル２ｄと第二のハイバンドコイル２ｅとの接続点に高周波的に接続される。二つのハイバンドコイル２ｂ、２ｅのインダクタンスは二つのローバンドコイル２ｃ、２ｄのそれよりも小さい。低電位側の第二のハイバンドコイル２ｅは直流カットコンデンサ２ｇによって高周波的に接地される。そして、二つのローバンドコイル２ｃ、２ｄの接続点にテレビジョン信号が入力され、同調用バラクタダイオード２ａのカソードと第一のハイバンドコイル２ｂとの接続点がＶＨＦ入力同調回路２の出力端となる。
【００２２】
また、第二のハイバンドコイル２ｅと直流カットコンデンサ２ｇとの接続点は抵抗２ｈによって接地され、且つ、抵抗２ｉによって電源端子Ｂに接続される。電源端子Ｂには５ボルトの電源電圧が印加される。従って、抵抗２ｈと２ｉとによって分圧された２ボルト弱のバイアス電圧が第二のハイバンドコイル２２ｅ、第二のローバンドコイル２２ｄ、第一のローバンドコイル２２ｃを介してスイッチダイオード２ｆのアノードに印加される。さらに、スイッチダイオード２ｆのカソードはバンド切替端子Ｓｗに接続される。バンド切替端子Ｓｗにはハイレベル（５ボルト）又はローレベル（０ボルト）の切替電圧が印加される。同調用バラクタダイオード２ａのカソードは第一のハイバンドコイル２ｂを介して同調電圧端子Ｔｕに接続される。同調電圧端子Ｔｕには同調電圧が印加される。
【００２３】
ＶＨＦ入力同調回路２の次段にはＦＥＴ（電界効果トランジスタ）で構成されるＶＨＦ高周波増幅器４が設けられ、ＶＨＦ入力同調回路２とＶＨＦ高周波増幅器４とは結合用バラクタダイオード５によって結合される。結合用バラクタダイオード５は同調用バラクタダイオード２ａの特性と同じ特性を有する。そのカソードは同調用バラクタダイオード２ａのカソードに接続され、アノードは抵抗６によって二つのローバンドコイル２ｃ、２ｄの接続点に接続されると共に、直流カットコンデンサ７によってＶＨＦ高周波増幅器４に結合される。従って、結合用バラクタダイオード５のアノードにも前述のバイアス電圧が印加される。
【００２４】
また、二つのローバンドコイル２ｃ、２ｄの接続点と結合用バラクタダイオード５のアノードとの間には第一のコンデンサ８が接続され、スイッチダイオード２ｆのカソードと結合用バラクタダイオード５のアノードとの間には第二のコンデンサ９が接続される。従って第二のコンデンサ９は第二のローバンドコイル２ｄと第二のハイバンドコイル２ｅとの接続点に高周波的に接続される。
ＶＨＦ高周波増幅器４の次段にはＶＨＦ段間同調回路１０が設けられ、さらに、その後段にはＶＨＦ混合器（図示せず）等が設けられる。ＶＨＦ段間同調回路１０以降の構成についての説明は省略する。
【００２５】
ＵＨＦ入力同調回路３は、一端が直流カットコンデンサ３ｆによって接地されたコイル３ａと、カソード同士が互いに接続された同特性の二つの同調用バラクタダイオード３ｂ、３ｃとを有し、一方の同調用バラクタダイオード３ｂのアノードがコイル３ａの他端に接続され、この接続点がＶＨＦ入力同調回路２における二つのローバンドコイル２ｃ、２ｄの接続点に接続される。また、他方の同調用バラクタダイオード３ｃのアノードが直流カットコンデンサ３ｄと抵抗３ｅによってコイル３ａと直流カットコンデンサ３ｆとの接続点に接続される。従って、二つの同調用バラクタダイオード３ｂ、３ｃのアノードにもＶＨＦ入力同調回路２からバイアス電圧が印加される。
【００２６】
そして、二つの同調用バラクタダイオード３ｂ、３ｃのカソードが同調端子Ｔｕに接続されると共に、直流カットコンデンサ１１によってＵＨＦ高周波増幅器１２に接続される。ＵＨＦ高周波増幅器１２にもＦＥＴが使用される。
ＵＨＦ高周波増幅器１２の次段にはＵＨＦ段間同調回路１３が設けられ、さらに、その後段にはＵＨＦ混合器（図示せず）等が設けられる。ＵＨＦ段間同調回路１３以降の構成についての説明は省略する。
【００２７】
以上の構成において、ＶＨＦ帯のテレビジョン信号を受信する場合には、ＶＨＦ高周波増幅器４が動作状態、ＵＨＦ高周波増幅器１２が非動作状態となり、ＵＨＦ帯のテレビジョン信号を受信する場合には、ＵＨＦ高周波増幅器１２が動作状態、ＶＨＦ高周波増幅器４が非動作状態となりように切り替えられる。
【００２８】
先ず、ＶＨＦ帯のハイバンドのテレビジョン信号を受信する場合は、バンド切替端子Ｓｗをローレベルの電圧にする。すると、スイッチダイオード２ｆがオンとなって、ＶＨＦ入力同調回路２は図２に示す等価回路となる。ここで、図２におけるコイル２ｊは図１における二つのローバンドコイル２ｃ、２ｄが並列接続されたものを示す。また、同調用バラクタダイオード２ａのアノードは接地されて０ボルトであるが、結合用バラクタダイオード５のアノードには抵抗２ｈと２ｉとによって分圧されたバイアス電圧Ｖが印加される。
【００２９】
そして、同調周波数は、主に二つのハイバンドコイル２ｂ、２ｅと同調用バラクタダイオード２ａによって決まるが、同調用バラクタダイオード２ａのカソードに印加されるほぼ２．５ボルトから２５ボルトまでの同調電圧に従ってハイバンド内で同調周波数が変化する。同調電圧が２．５ボルトの時の同調用バラクタダイオード２ａの容量値はおよそ１４．５ｐＦ（ピコファラッド）となり、ハイバンドの最低周波数に同調する。
【００３０】
しかし、結合用バラクタダイオード５のアノードにはほぼ２ボルトのバイアス電圧Ｖが印加されているため、同調電圧が２．５ボルトの時には結合用バラクタダイオード５のアノード・カソード間の電圧はおよそ０．５ボルトとなって、そのときの容量値は２倍以上の３１．５ｐＦとなり、同調電圧が２５ボルトでは従来とほぼ同じ２乃至３ｐＦとなる。このため、高域での結合がほとんど変化しないのに対して、低域での結合が一層大きくなり、ＶＨＦ入力同調回路２とＶＨＦ高周波増幅器４との間の結合は高い周波数では一層密となる。従って利得偏差が改善される。
【００３１】
また、図２から明らかなように、第一のコンデンサ８と、コイル２ｊと、第一のハイバンドコイル２ｂと、結合用バラクタダイオード５とによって第一の直並列共振回路が構成されるが、この直並列共振回路は、従来の構成と同様に、ハイバンドを受信する場合のイメージ周波数帯をその並列共振周波数で減衰するトラップ回路として機能する。
さらに、第二のコンデンサ９と、第一のハイバンドコイル２ｂと、結合用バラクタダイオード５とによって第二の直並列共振回路が構成されるが、この直並列共振回路はＵＨＦ帯の高域側をその並列共振周波数で減衰するトラップ回路として機能する。
【００３２】
一方、ＶＨＦ帯のローバンドのテレビジョン信号を受信する場合は、バンド切替端子Ｓｗをハイレベルの電圧にする。すると、スイッチダイオード２ｆがオフとなって、ＶＨＦ入力同調回路２は図３に示す等価回路となり、第一のコンデンサ８と、第一のローバンドコイル２ｃと、第一のハイバンドコイル２ｂと、結合用バラクタダイオード５とによって第一の直並列共振回路が構成されるが、この直並列共振回路はローバンドを受信する場合のイメージ周波数帯をその並列共振周波数で減衰するトラップ回路として機能する。
【００３３】
また、第二のコンデンサ９は第二のローバンドコイル２ｄと第二のハイバンドコイル２ｅとの接続点と結合用バラクタダイオード５のアノードとの間に接続される。しかし、ローバンドにおいては第二のハイバンドコイル２ｅのインダクタンスが無視出来るので、結合用バラクタダイオード５のアノードは第二のコンデンサ９によってシャントされる形となり、上述した第一の直並列共振回路の共振周波数に影響を及ぼさず、イメージ周波数帯を減衰する並列共振周波数とＶＨＦ入力同調回路２の同調周波数とのトラッキング特性（同じ周波数差で変化すること）を改善する。
【００３４】
そして、ＶＨＦ入力同調回路２の同調周波数は、主に二つのハイバンドコイル２ｂ、２ｅと二つのローバンドコイル２ｃ、２ｄと同調用バラクタダイオード２ａによって決まり、同調用バラクタダイオード２ａのカソードに印加するほぼ２．５ボルトから２５ボルトまでの同調電圧に従ってローバンド内で同調周波数が変化する。また、同調電圧が２．５ボルトの時の同調用バラクタダイオード２ａの容量値はおよそ１４．５ｐＦとなり、ローバンドの最低周波数に同調する。同様に、結合用バラクタダイオード５の容量値は３１．５ｐＦとなり、低い周波数での結合が密となる。従って利得が上がり、利得偏差も改善される。
【００３５】
また、ＵＨＦ入力同調回路３は図４で示される等価回路のように、二つの同調用バラクタダイオード３ｂ、３ｃのアノードにもバイアス電圧Ｖが印加されるので、容量値は同調電圧が２．５ボルトで３１．５ｐＦとなり、同調周波数の範囲が広がる。
【００３６】
【発明の効果】
以上説明したように、本発明のテレビジョンチューナは、結合用バラクタダイオードのカソードを同調用バラクタダイオードのカソードに接続し、結合用バラクタダイオードのアノードを抵抗又はインダクタを介して接地すると共に高周波増幅器に結合し、第一のローバンドコイルと第二のローバンドコイルとの接続点と結合用バラクタダイオードのアノードとの間に第一のコンデンサを接続し、第二のローバンドコイルと第二のハイバンドコイルとの接続点と結合用バラクタダイオードのアノードとの間に第二のコンデンサを高周波的に接続したので、ローバンド受信時では結合用バラクタダイオードのアノードは第二のコンデンサによってシャントされる形となり、イメージ周波数帯を減衰する並列共振周波数とＶＨＦ入力同調回路の同調周波数とのトラッキング特性を改善する。また、入力同調回路と高周波増幅器とが結合用バラクタダイオードのみによって結合されるので、低い周波数での結合が密となり、利得偏差も改善される。
【００３７】
また、スイッチダイオードのカソードを第二のローバンドコイルと第二のハイバンドコイルとの接続点に高周波的に接続し、第二のコンデンサをスイッチダイオードのカソードと結合用バラクタダイオードのアノードとの間に接続したので、ローバンド受信時では第二のコンデンサを第二のローバンドコイルと第二のハイバンドコイルとの接続点に高周波的に接続出来る。
【００３８】
また、スイッチダイオードのアノードには固定のバイアス電圧を印加し、結合用バラクタダイオードのアノードを前記スイッチダイオードのアノードに抵抗又はインダクタを介して接続したので、低い周波数チャンネルを受信する場合と高い周波数チャンネルを受信する場合とにおける結合用バラクタダイオードの容量変化比が大きくなって、利得偏差を一層改善できる。
【図面の簡単な説明】
【図１】本発明のテレビジョンチューナの構成を示す回路図である。
【図２】本発明のテレビジョンチューナにおけるハイバンド受信時のＶＨＦ入力同調回路の構成を示す等価回路図である。
【図３】本発明のテレビジョンチューナにおけるローバンド受信時のＶＨＦ入力同調回路の構成を示す等価回路図である。
【図４】本発明のテレビジョンチューナにおけるＵＨＦ入力同調回路の構成を示す等価回路図である。
【図５】従来のテレビジョンチューナの構成を示す回路図である。
【図６】従来のテレビジョンチューナにおけるハイバンド受信時のＶＨＦ入力同調回路の構成を示す等価回路図である。
【図７】従来のテレビジョンチューナにおけるローバンド受信時のＶＨＦ入力同調回路の構成を示す等価回路図である。
【符号の説明】
１  トラップ回路
２  ＶＨＦ入力同調回路
２ａ  同調用バラクタダイオード
２ｂ  第一のハイバンドコイル
２ｃ  第一のローバンドコイル
２ｄ  第二のローバンドコイル
２ｅ  第二のハイバンドコイル
２ｆ  スイッチダイオード
２ｇ  直流カットコンデンサ
２ｈ、２ｉ  抵抗
３  ＵＨＦ入力同調回路
３ａ  コイル
３ｂ、３ｃ  同調用バラクタダイオード
４  ＶＨＦ高周波増幅器
５  結合用バラクタダイオード
６  抵抗
７  直流カットコンデンサ
８、９  コンデンサ
１０  ＶＨＦ段間同調回路
１１  直流カットコンデンサ
１２  ＵＨＦ高周波増幅器
１３  ＵＨＦ段間同調回路
【図１】
0003857565.tif 000002
【図２】
0003857565.tif 000003
【図３】
0003857565.tif 000004
【図４】
0003857565.tif 000005
【図５】
0003857565.tif 000006
【図６】
0003857565.tif 000007
【図７】
0003857565.tif 000008